(57)【要約】【課題】塵埃の捕捉力を向上させることを課題とする。【解決手段】イオンを発生させるイオン発生電極１４２と、送風ファン１２５によって発生した送風を吹き出す空気吹出口１１２と、空気を取り込む空気吸込口１１１に備えられ、イオンとは逆の極性に帯電している金属フィルタ１４３と、イオン発生電極１４２と、金属フィルタ１４３に電圧を供給する高電圧発生装置１４１とを有し、イオン発生電極１４２は、空気吹出口１１２又は空気吹出口１１２近傍に設置されることを特徴とする。また、空気調和機の運転が停止すると、金属フィルタ１４３に付着した塵埃を取り除く可動式フィルタ掃除ユニット１２３を備えている。【選択図】図２
2015203556.tif 000002
【特許請求の範囲】
【請求項１】
イオンを発生するイオン発生部と、
前記イオン発生部に高電圧を印加する高電圧発生部と、
空気と冷媒を熱交換する熱交換部と、
空気を吸い込む空気吸込口又は前記空気吸込口と前記熱交換部との間に位置し、前記イオンとは逆の極性に帯電するフィルタ部と、
を有し、
前記イオン発生部及び前記高電圧発生部は、空気を吹き出す空気吹出口又は前記空気吹出口近傍に設置される
ことを特徴とする空気調和機の室内機。
【請求項２】
前記高電圧発生部は前記送風路外に位置する
ことを特徴とする請求項１に記載の空気調和機の室内機。
【請求項３】
前記空気調和機の運転停止時に前記フィルタ部に付着している塵埃を除去する除去部、
を有することを特徴とする請求項１に記載の空気調和機の室内機。
【請求項４】
人を検知する人体検知部を有し、
前記人体検知部が、所定時間連続して人を検知しないときに、前記高電圧発生部が前記イオン発生部に印加する電圧を上げる
ことを特徴とする請求項１に記載の空気調和機の室内機。
【請求項５】
人を検知する人体検知部を有し、
前記人体検知部が、所定時間連続して人を検知しないときに、前記フィルタ部に印加する電圧を上げる
ことを特徴とする請求項１に記載の空気調和機の室内機。
【請求項６】
人を検知する人体検知部を有し、
前記人体検知部が、所定時間連続して人を検知しないときに、送風ファンの回転数を上げる
ことを特徴とする請求項１に記載の空気調和機の室内機。
【請求項７】
前記請求項１乃至請求項６のいずれか一項に記載の空気調和機の室内機と、
圧縮機と室外熱交換器と膨張弁とを有する室外機とを備える空気調和機。
【発明の詳細な説明】
【技術分野】
【０００１】
本発明は、塵埃や、汚染物質を捕捉するフィルタを備えた空気調和機の室内機及びこの室内機を備えた空気調和機の技術に関する。
【背景技術】
【０００２】
空気調和機は、熱交換器で室内空気を加熱、冷却、除湿等をした空気（調和空気）を生成する。そして、空気調和機は、生成した調和空気を室内に吹出すことで、室内を空気調和する。このとき、空気調和機には、温度、湿度の調節以外にも空気の循環機能を利用して、塵埃や、汚染物質を捕捉することによって使用空間内をクリーンで快適な空間にすることも望まれている。
【０００３】
ここで、捕捉や、除去の対象とされる塵埃、汚染物質は、年間を通して発生するものである。例えば、リビングのカーペットやカーテンからの繊維状の埃をはじめ、結露した壁や窓に発生したカビから発生する胞子等が塵埃、汚染物質として挙げられる。また、春や秋の季節には室外から侵入するスギやブタクサ等の花粉、冬季では毎年流行となるインフルエンザウイルス等も塵埃、汚染物質として挙げられる。さらに、近年では燃料の燃焼時等に発生し、吸入による健康被害の懸念も考えられるＰＭ２．５等も塵埃、汚染物質として挙げられる。このように、補足や、除去の対象となる塵埃、汚染物質には様々なものがあり、各々の粒径も数μｍから数ｍｍまで幅広い大きさとなっている。
【０００４】
このような塵埃や、汚染物質を除去するため、特許文献１には、高電圧を印加することでイオンを放出して塵埃を帯電させ、アースに設置した集塵板で帯電した塵埃を捕捉する空気調和機が開示されている。
【０００５】
特許文献１に記載の空気調和機は、通風路内に高圧電位の放電電極とアース電位の対向電極を有している。このようにすることで、特許文献１に記載の空気調和機は、放電電極と、対向電極とを通過する空気中の塵埃に電荷を与える。このようにすることで、特許文献１に記載の空気調和機は、静電気の吸引力により塵埃を捕捉するものである。
【０００６】
また、例えば、特許文献２には、流入空気の上流部にＨＥＰＡ（High Efficiency Particulate Air）フィルタ等の目の細かいフィルタを設置する空気調和機が開示されている。このようにすることで、特許文献２に記載の空気調和機は、流入空気に含まれる繊維くず等はもちろん、カビやウイルス等の微小な粒子までも除去できる。
【先行技術文献】
【特許文献】
【０００７】
【特許文献１】特許第４２５２４０５号明細書
【特許文献２】特許第３８１３２６７号明細書
【発明の概要】
【発明が解決しようとする課題】
【０００８】
特許文献１に記載の空気調和機は、放電電極と、対向電極とを通過する空気に含まれる塵埃を集塵することが可能である。しかしながら、特許文献１に記載の空気調和機において、集塵された埃はアース電位の対向電極に蓄積されるため、対向電極に蓄積した塵埃を除去する必要がある。
【０００９】
特許文献２に記載の空気調和機は、通風路内に不織布等、目が非常に細かいエアフィルタを備えて集塵している。このため、熱交換器への通過風量が過剰に減少してしまい、熱交換器通過空気の低下に伴う冷暖房性能の低下が起こる。
また、エアフィルタに堆積した埃を取り払う手間がかかることや、不織布で構成されているため長期使用によるエアフィルタの劣化の虞があり、定期的なエアフィルタの交換が必要となる。
【００１０】
このような背景に鑑みて本発明がなされたのであり、本発明は、塵埃の捕捉力を向上させることを課題とする。
【課題を解決するための手段】
【００１１】
前記した課題を解決するため、本発明は、イオンを発生するイオン発生部と、前記イオンとは逆の極性に帯電しているフィルタ部とを有し、イオン発生部は空気吹出口又は空気吹出口の近傍に設置されていることを特徴とする。
【発明の効果】
【００１２】
本発明によれば、塵埃の捕捉力を向上させることができる。
【図面の簡単な説明】
【００１３】
【図１】本実施形態に係る空気調和機の外観図である。
【図２】本実施形態に係る稼動中における室内機の側断面模式図である。
【図３】前面パネルを外した状態の室内機の内部外観図である。
【図４】本実施形態に係る室内機の内部を上面から見た模式図である
【図５】本実施形態に係る空調機の集塵動作を説明する図である。
【図６】本実施形態に係る室内機の機能ブロックの例を示す図である。
【図７】第２実施形態に係る室内機の制御手順を示すフローチャートである。
【図８】第３実施形態に係る室内機の制御手順を示すフローチャートである。
【図９】第３実施形態に係る風向制御を説明する図である。
【図１０】第４実施形態に係る室内機の制御手順を示すフローチャートである。
【図１１】第５実施形態に係る室内機の制御手順を示すフローチャートである。
【図１２】第６実施形態に係る室内機の制御手順を示すフローチャートである。
【図１３】第７実施形態に係る稼動中における室内機の側断面模式図である。
【発明を実施するための形態】
【００１４】
次に、本発明を実施するための形態（「実施形態」という）について、適宜図面を参照しながら詳細に説明する。なお、各図において、同様の要素には同一の符号を付して説明を省略する。
【００１５】
《第１実施形態》
［空気調和機の構成］
まず、本実施形態に係る空気調和機Ｚの全体構成を、図１〜図３を用いて説明する。
図１は、本実施形態に係る空気調和機の外観図である。
まず、図１に示すように、空気調和機Ｚは、室内に設置される室内機１と、室外に設置させる室外機２とが、冷媒配管４を介して接続されている。冷媒配管４は通信ケーブルも有している。このような構成により、空気調和機Ｚは室内を空気調和する。
ここで、室外機２は、図示しない圧縮機、室外熱交換器、膨張弁等を備える。
【００１６】
そして、図１に示すように、室内機１の筐体１０１は、側面に設置される化粧枠１０２と、前面に設置される前面パネル１０３とを有する。
前面パネル１０３は、室内機１の前面を覆うように設置されており、下端を軸として前面パネル用モータ（図示せず）により回動可能な構成となっている。ちなみに、前面パネル１０３を、下端に固定されるものとして構成してもよい。
【００１７】
前面パネル１０３の下方には運転状況を表示する表示部１１４と、別体のリモコン（リモートコントローラ）３から送信される赤外線の操作信号を受ける受光部１１５とが設置されている。
また、室内機１の上部には室内の空気を室内機１に取り込むための空気吸込口１１１が備わっている。さらに、図２で後記する用に前面パネル１０３の内側にも空気吸込口１１１が備わっている。
そして、室内機１の下部には、室内機１内で生成された調和空気が吹き出される空気吹出口１１２が備わっている。
【００１８】
また、前面パネル１０３の左右方向中央の下部には、撮像カメラ（人体検知部）１１３が備えられている。
撮像カメラ１１３には、画像処理装置（人体検知部）１６４（図６）が付随して備えられている。
撮像カメラ１１３は、例えば、ＣＣＤ（Charge Coupled Device）カメラである。また、撮像カメラ１１３は、レンズの光軸が水平線に対して所定角度だけ下方を向くように設置され、室内機１が設置されている室内を適切に撮像できるようになっている。また、撮像カメラ１１３は、空調室内を経時的に撮像して、撮像した画像を画像情報として、後記の画像処理装置１６４に出力する。なお、撮像カメラ１１３の代わりに、赤外線センサ等の人を検出できるセンサが用いられてもよい。
【００１９】
図２は、本実施形態に係る稼動中における室内機の側断面模式図であり、図３は、前面パネルを外した状態の室内機の内部外観図である。なお、図２は図１のＡ−Ａ断面であるが、稼動中であるため前面パネル１０３が開いた状態であるとともに、上下風向板１３１が開いた状態となっている。
【００２０】
図２に示すように、室内機１は筐体１０１内に、高電圧発生装置（高電圧発生部）１４１と、イオン発生電極（イオン発生部）１４２と、金属フィルタ１４３ａ，１４３ｂ（１４３）を備えている。
イオン発生電極１４２は、高電圧発生装置１４１によって高電圧を印加されることで、マイナス又はプラスのイオンを発生する。
高電圧発生装置１４１と、イオン発生電極１４２によって発生されたイオンは、流入空気と共に室内に放出され、接触した塵埃を帯電させる。
【００２１】
また、上部の空気吸込口１１１には金属フィルタ（フィルタ部）１４３ａ（１４３）が設けられている。また、前面パネル１０３の内側の空気吸込口１１１にも金属フィルタ１４３ｂ（１４３）が設けられている。金属フィルタ１４３は、空気吸込口１１１から吸い込まれた空気中に含まれる塵埃を取り除くためのものであり、熱交換器（熱交換部）１２４の吸込側を覆うように配置されている。
なお、本実施形態では、金属フィルタ１４３が空気吸込口１１１に備えられているが、空気吸込口１１１と熱交換器１２４との間に設置されるようにしてもよい。
【００２２】
また、金属フィルタ１４３（１４３ａ，１４３ｂ）は、イオン発生電極１４２が発生するイオンとは逆の極性に帯電している。
このようにすることで、金属フィルタ１４３は、イオン発生電極１４２によって発生されたイオンで帯電された塵埃を電気力によって強力に捕捉することができる。
イオンの発生と塵埃の捕捉の詳細については後記する。
【００２３】
金属フィルタ１４３（１４３ａ，１４３ｂ）の吸込側には、起毛ブラシ１２２を有している可動式フィルタ掃除ユニット（除去部）１２３が配置されている。可動式フィルタ掃除ユニット１２３については後記するが、空気調和機Ｚの運転停止時に金属フィルタ１４３に付着している塵埃を除去するものである。なお、図３で後記するように、空気調和機Ｚの稼動時において、可動式フィルタ掃除ユニット１２３は、室内機１の正面から見て右端で停止している（図３参照）。従って、本来、室内機１の正面から見て左端方向を見ている図２では可動式フィルタ掃除ユニット１２３は図示されないはずだが、ここでは説明のため、可動式フィルタ掃除ユニット１２３を示すこととする。
【００２４】
筐体１０１の内部には、送風ファン１２５及び熱交換器１２４が設けられている。熱交換器１２４は、複数本の図示しない伝熱管を有し、送風ファン１２５により室内機１内に取り込まれた室内空気を、伝熱管を通流する冷媒と熱交換させることで、室内空気を加熱、冷却又は除湿するものである。
つまり、空気調和機Ｚは、室内の空気を熱交換器１２４により、加熱、冷却又は除湿した調和空気にし、これを室内に吹き出すことにより室内環境を快適なものとする。
【００２５】
送風ファン１２５は室内の空気を筐体１０１の内部に取り込み、熱交換器１２４によって加熱又は冷却した室内空気を、送風路１２７を介して室内に送風するものである。送風ファン１２５は室内機１内の中央に配置されている。送風ファン１２５は、例えば、遠心型や、クロスフローファンであることが望ましい。ここで、送風路１２７は、送風ファン１２５によって発生した送風の通り道である。
【００２６】
熱交換器１２４は送風ファン１２５の吸込側に配置され、送風ファン１２５の上方を覆うように略逆Ｖ字状に形成されている。熱交換器１２４は、複数本の伝熱管（不図示）を有し、送風ファン１２５により室内機１内に取り込まれた空気を、伝熱管を通流する冷媒と熱交換させ、前記空気を加熱又は冷却するように構成されている。なお、伝熱管は、前記した冷媒配管４に連通し、周知の冷媒サイクル（図示せず）の一部を構成している。
【００２７】
さらに、前記したように、熱交換器１２４の下方には熱交換器１２４で生じた凝縮水を受ける露受皿１２６が配置されている。
【００２８】
室内機１の筐体１０１には空気吹出口１１２が前面パネル１０３の下方に設けられている。
空気吹出口１１２には、送風ファン１２５からの送風の風向きを上下方向に調整する上下風向板１３１を有するとともに、送風の風向を横方向に調整する左右風向板１３２を有している。
【００２９】
上下風向板１３１は、後記する制御部１５１（図６）からの指示に従い、両端部に設けた回動軸（図示せず）を支点にして上下風向板用モータ（図示せず）により回動される。
【００３０】
左右風向板１３２は、後記する制御部１５１からの指示に従い、下部に設けた回動軸（図示せず）を支点にして左右風向板用モータ(図示せず)により回動される。
【００３１】
送風ファン１２５や、熱交換器１２４等の内部構造体は、化粧枠１０２（図１）や、前面パネル１０３や、筐体１０１により室内機１内に内包される。
【００３２】
［空気の循環について］
送風ファン１２５が回転することによって、空気吸込口１１１及び金属フィルタ１４３を介して室内空気が室内機１に取り込まれ、熱交換器１２４で熱交換された空気が送風路１２７に導かれる。さらに、送風路１２７に導かれた空気は、左右風向板１３２及び上下風向板１３１によって風向きを調整され、空気吹出口１１２から外部に送り出されて室内を空調する。
以下、このことを説明する。
【００３３】
送風ファン１２５が作動すると、空気は白抜き矢印Ａ１のように流れる。まず、空気吸込口１１１から吸い込まれた空気中の塵埃は金属フィルタ１４３（１４３ａ，１４３ｂ）に捕捉される。このとき、金属フィルタ１４３は熱交換器１２４の吸込側に配置されているので、空気中の塵埃の大半は金属フィルタ１４３で捕捉される。このとき、金属フィルタ１４３が、イオン発生電極１４２が発生するイオンとは逆の極性に帯電しているので、室内機１は金属フィルタ１４３の捕捉力に加えて、電気力による捕捉力を有することができる。
【００３４】
なお、高電圧発生装置１４１は、露受皿１２６と、空気吹出口１１２の上面部１３３と、筺体１０１の前面下部とで囲まれた空間部１３４の内部に設置されることが望ましい。また、イオン発生電極１４２は空気吹出口１１２又は空気吹出口１１２の近傍に設置される。本実施形態では、高電圧発生装置１４１が送風路１２７の外に設けられ、イオン発生電極１４２が送風路１２７の中に備えられている。
高電圧発生装置１４１が空間部１３４の内部に設置されることで、送風路１２７が高電圧発生装置１４１によって妨げられることがなくなる。
【００３５】
つまり、高電圧発生装置１４１は、空気吹出口１１２の近傍に設けられている。ここで、空気吹出口１１２の近傍とは、少なくとも空気吹出口１１２の上方であって、露受皿１２６の下方に位置する空間を含む。
なお、送風路１２７以外であれば、高電圧発生装置１４１は、空間部１３４の内部に限らず、どこに設けられてもよい。
【００３６】
また、イオン発生電極１４２に水を供給する水源部（不図示）を設置し、イオン発生電極１４２から霧を発生させる構成としてもよい。この場合、水源部は、ペルチェ素子（不図示）と、このペルチェ素子の冷却面に設けられ、その表面に空気中の水分を凝縮させる冷却板（不図示）とから構成される。
【００３７】
［可動式フィルタ掃除ユニット］
図３に示すように、空気調和機Ｚの運転中、可動式フィルタ掃除ユニット１２３は、室内機１の正面（紙面手前側）から見て右端で停止している。そして、空気調和機１の運転停止後に、可動式フィルタ掃除ユニット１２３は矢印Ｂの方向に移動する。そして、可動式フィルタ掃除ユニット１２３は、金属フィルタ１４３の正面から見て左端に到達したら折り返し、元の位置（右端）まで移動し、停止する。
このようにすることで、可動式フィルタ掃除ユニット１２３に備えられている起毛ブラシ１２２が金属フィルタ１４３の塵埃をかき取る。
【００３８】
このようにすることで、金属フィルタ１４３は常に清潔に保たれ、金属フィルタ１４３の網の目詰まりによる流入空気の減少を抑えることができる。結果として、空気調和機Ｚの冷暖房性能の低下を防止することができる。
【００３９】
リビング、ダイニング、寝室等といった空気調和機Ｚの使用環境には、比較的大きな塵埃から、大きさが数μｍ程度の小さな塵埃まで、塵埃が幅広く存在している。比較的大きな塵埃には、衣類、カーテン、絨毯等を構成する樹脂繊維から発生する繊維状の埃や、外出時に付着した土壌からの粉塵埃等がある。小さな塵埃には、ドアの開閉、２４時間換気システム等から侵入する花粉、また気密性の高い部屋で結露し発生したカビから飛散したカビの胞子、ダニの死骸、やフン、細菌、ウイルス等がある。
【００４０】
これらの塵埃は、ハウスダストとして空中を浮遊し、やがて長い時間を掛けて沈降し、床や家具等に堆積する。堆積した塵埃は在室者の動きによって再び空気中に舞い、浮遊する。
これらの浮遊した塵埃を、人が吸入するとアレルギやぜんそく等の原因となる。そのため、金属フィルタ１４３や、電気集塵機能等の空気清浄機能を使用してこれらの塵埃を除去することが必要となる。
【００４１】
［高電圧発生装置及びイオン発生電極の設置位置］
図４は、本実施形態に係る室内機の内部を上面から見た模式図である。図４において、図２と同じ構成については、符号を適宜省略している。
図４における符号は、図２と同様の構成を示しているので、ここでは説明を省略する。なお、図４において、熱交換器１２４（図２）は図示省略している。
図４に示すように、本実施形態に係る室内機１では、高電圧発生装置１４１と、イオン発生電極１４２とは、空気吹出口１１２の片側に設けられている。
そして、イオン発生電極１４２、金属フィルタ１４３ａ，１４３ｂのそれぞれは高電圧線１４５によってそれぞれ高電圧発生装置１４１に接続している。
【００４２】
なお、イオン発生電極１４２は、図４に示すように室内機１の片側に設置されているが、これに限らず、イオン発生電極１４２がピアノ線等の導体線で構成され、空気吹出口１１２内部の一方の端部から他方の端部まで張られるようにしてもよい。つまり、空気吹出口１１２の全面にわたってイオンが放出されるようにしてもよい。この際、導体線は、ユーザが導体線に触れることのないよう、できるだけ空気吹出口１１２の奥側に設けられるようにすることが望ましい。
【００４３】
［集塵動作について］
以下、本実施形態に係る空気調和機Ｚにおける集塵動作について図５を参照して詳細に説明する。
まず、高電圧発生装置１４１が、およそ−６ｋＶの高電圧電位を発生させる。発生した高電圧電位はイオン発生電極１４２に印加される。高電圧電位を印加されたイオン発生電極１４２はコロナ放電現象によりマイナスイオンＢ１を発生させる。
なお、高電圧発生装置１４１が発生する電位は、−６ｋＶに限らないが、コロナ放電が発生する電圧以下であることが必要である。
【００４４】
発生したマイナスイオンＢ１は送風ファン１２５によって発生する吹出空気の流れに乗って使用空間内（室内）に放出される。
【００４５】
室内に放出されたマイナスイオンＢ１は、空気中を漂う塵埃Ｂ２に接触する。これにより、塵埃Ｂ２はマイナス電位に帯電される。
同時に、高電圧発生装置１４１で発生された＋１ｋＶの高電圧電位が高圧線１４５（図４）によって接続された金属フィルタ１４３（１４３ａ，１４３ｂ）に印加される。これにより、金属フィルタ１４３は、マイナスイオンＢ１とは逆の極性に帯電する。
【００４６】
ここでは、金属フィルタ１４３は、＋１ｋＶで帯電されているが、＋１ｋＶに限らない。ちなみに、金属フィルタ１４３の絶対値がイオン発生電極１４２に印加される電位の絶対値より大きな電位で帯電されれば、塵埃捕捉力を向上させることができる。また、金属フィルタ１４３の電位の絶対値がイオン発生電極１４２に印加される電位の絶対値より小さな電位で帯電されれば、安全性を向上させることができる。
【００４７】
マイナスイオンＢ１と接触することによって、マイナスに帯電した塵埃Ｂ２は、室内機１の吸込空気に乗って、空気吸込口１１１に吸い込まれる。つまり、図５において、空気吸込口１１１付近に浮遊しているマイナスイオンＢ１は空気吹出口１１２から放出されたものが、空気の循環や、金属フィルタ１４３の電気力に引き寄せられることによって戻ってきたものである。そして、マイナスに帯電した塵埃Ｂ２は、マイナスイオンＢ１とは逆の極性に帯電している金属フィルタ１４３ａ、１４３ｂの静電気力によって、金属フィルタ１４３ａ，１４３ｂに強力に捕捉される。
【００４８】
また、本実施形態で使用される金属フィルタ１４３は、一般的に使用されているフィルタと同メッシュ数（約７０×６５メッシュ／２．５４ｃｍ（＝１インチ））で同線径（６０μｍ程度）のものを使用することが望ましい。このようにすることで、これまでの空気調和機と比較して、本実施形態に係る空気調和機Ｚは、圧力損失を増加させることなく、冷暖房性能に影響しない集塵構造を実現することができる。特に、特許文献２で用いられているようなメッシュの細かいフィルタを用いることなく、塵埃の捕捉力を向上させることができる。
【００４９】
金属フィルタ１４３は、金属等、網全体に電位が均一に広がるような導電性のものであればよい。例えば、樹脂製の網の流入空気上流側に金属を蒸着やスパッタリングしたものが使用されてもよい。
特に、金属フィルタ１４３は、ニッケル成分を含有するステンレスで構成されたり、ステンレスがスパッタリングされたりしたものを用いることが可能である。このようにすることで、ステンレスにおける、金属イオン化したニッケル成分の抗菌作用によって、捕捉された塵埃に含まれる菌やウイルス、カビ等の繁殖抑制効果が期待できる。
【００５０】
なお、高電圧発生装置１４１、金属フィルタ１４３は、ユーザが触れることのできないよう、不導体で覆われていることが望ましい。さらに、イオン発生電極１４２は、イオンが放出される箇所を除いて不導体で覆われていることが望ましい。
【００５１】
捕捉した塵埃は、前記したように可動式フィルタ掃除ユニット１２３の往復動作により取り除かれる。このようにすることで、常に、金属フィルタ１４３から塵埃が除去された状態を保つことができる。この結果、金属フィルタ１４３の交換やメンテナンスを不要もしくは頻度を大幅に低減することができる。
【００５２】
なお、発明者が集塵率についての実験を行ったところ、フィルタのみを備えた空気調和機では、３０％の集塵率であった。これに対し、同様のメッシュ数である金属フィルタ１４３を用いた、本実施形態に係る空気調和機Ｚでは６０％の集塵率を有することが分かった。ここで、集塵率とは、検査室内において予め分かっている塵埃を、どれだけ捕捉することができたかを示す割合である。
【００５３】
［機能ブロック］
図６は、本実施形態に係る室内機の機能ブロックの例を示す図である。
室内機１（図１）では、ＲＡＭ（Random Access Memory）１５０等で動作しているプログラムによって、制御部１５１が具現化している。
制御部１５１は、室内機１に備えられているスイッチ１６１、温度センサ１６２、湿度センサ１６３、撮像カメラ１１３に接続されている画像処理装置１６４から情報を取得する。そして、制御部１５１は、取得した情報を基に、送風ファン１２５、高電圧発生装置１４１、左右風向板１３２、上下風向板１３１等を制御している。
【００５４】
なお、画像処理装置１６４は、撮像カメラ１１３からアナログ信号として入力される画像情報をデジタル信号に変換し、人体の判定等を行うものである。すなわち、画像処理装置１６４は人を検知したか否か（所定空間における人体の存在の有無）を検知したり、人が室内機１から所定距離以内に存在しているか否かを検知したりするものである。
ここで、人体の判定とは、人を検知したか否か、人と室内機１との距離が所定距離以内であるか否か等である。人体の判定処理は既知の技術であるため、ここでは説明を省略する。なお、画像処理装置１６４を撮像カメラ１１３に内蔵されてもよいし、ＲＡＭ１５０上で動作するプログラムとしてもよい。
【００５５】
《第２実施形態：人がいないときに集塵動作》
図７は、第２実施形態に係る室内機の制御手順を示すフローチャートである。
まず、画像処理装置１６４は撮像カメラ１１３から送られた画像を解析することによって、人を検知したか否かを判定する（Ｓ１０１）。
ステップＳ１０１の結果、人を検知した場合（Ｓ１０１→Ｙｅｓ）、画像処理装置１６４はステップＳ１０１へ処理を戻す。
【００５６】
ステップＳ１０１の結果、人を検知しない場合（Ｓ１０１→Ｎｏ）、制御部１５１はイオン発生電極１４２にイオンを発生させ、送風ファン１２５を動作させるイオンを室内に吹き出させる（Ｓ１０２）。このとき、制御部１５１は、高電圧発生装置１４１を作動させて金属フィルタ１４３を帯電させる。つまり、制御部１５１は、人が在室していないときに、イオン発生電極１４２によるイオンの発生を行うと共に、送風ファン１２５を回転させてイオンを室内に吹き出させる。
【００５７】
このようにすることで、イオンによる集塵の効率向上を保ちつつ、人が在室しているときにおける、イオンによる集塵動作に伴う送風の風速分布の偏りや、温度の偏りや、集塵動作に伴う送風ファン１２５の騒音を抑制することができる。
【００５８】
なお、ステップＳ１０１において、所定時間、連続して人を検知しない場合、画像処理部１６４は、Ｓ１０１→Ｎｏの判定を行い、制御部１５１がステップＳ１０２の処理へ進むようにしてもよい。
【００５９】
《第３実施形態：風向制御》
図８は、第３実施形態に係る室内機の制御手順を示すフローチャートである。
まず、画像処理装置１６４は撮像カメラ１１３から送られた画像を解析することによって、人を検知したか否かを判定する（Ｓ２０１）。
ステップＳ２０１の結果、人を検知した場合（Ｓ２０１→Ｙｅｓ）、画像処理装置１６４はステップＳ２０１へ処理を戻す。
【００６０】
ステップＳ２０１の結果、人を検知しない場合（Ｓ２０１→Ｎｏ）、制御部１５１は上下風向板１３１の方向を制御することで、送風の風向を制御し（Ｓ２０２）、ステップＳ２０１へ処理を戻す。このとき、制御部１５１は、送風ファン１２５の風量を上昇させるよう制御してもよい。
【００６１】
このとき、図９に示すように、壁に対する風向きの角度θが、４５度以下となるよう、制御部１５１は上下風向板１３１を制御することが望ましい。このようにすることで、空気吹出口１１２から吹き出された空気は、下方に向かい、使用空間の床面やテーブル等の家具５００の上面に向かって送風することになる。つまり、制御部１５１は、床面に対して送風が吹き付けられるよう上下風向板の向きを制御する。結果として、吹き出された空気は床や家具５００の上面に堆積した塵埃を巻き上げる。
このように床や家具上面に堆積した塵埃を積極的に巻き上げることで、床や家具上面に堆積した埃を帯電させ、金属フィルタ１４３に捕捉することができる。
また、人を検知していないときに、ステップＳ２０２の処理を行うことで、人が在室しているときに床や家具上面に塵埃を積極的に巻き上げることがなくなるので、在室者が快適にすごすことができる。
【００６２】
なお、ステップＳ２０１において、所定時間、連続して人を検知しない場合、画像処理部１６４は、Ｓ２０１→Ｎｏの判定を行い、制御部１５１がステップＳ２０２の処理へ進むようにしてもよい。
【００６３】
《第４実施形態：人が近づくと動作停止》
図１０は、第４実施形態に係る室内機の制御手順を示すフローチャートである。
まず、画像処理装置１６４は撮像カメラ１１３から送られた画像を解析することによって、人が室内機１から所定距離以内に接近したか否かを判定する（Ｓ３０１）。
ステップＳ３０１の結果、所定距離以内ではない場合（所定距離外である場合）（Ｓ３０１→Ｎｏ）、制御部１５１は高電圧発生装置１４１を稼動させ続け（Ｓ３０２）、イオン発生電極１４２からイオンを発生させ続けるとともに、金属フィルタ１４３を帯電させ続ける。そして、制御部１５１はステップＳ３０１へ処理を戻す。
【００６４】
ステップＳ３０１の結果、所定距離以内ではある場合（Ｓ３０１→Ｙｅｓ）、制御部１５１は、高電圧発生装置１４１を停止させ（Ｓ３０３）、ステップＳ３０１へ処理を戻す。高電圧発生装置１４１が停止することにより、イオン発生電極１４２からのイオンの発生及び金属フィルタ１４３の帯電が停止する。
【００６５】
このように、画像処理装置１６４によって、在室者と室内機１との距離が所定距離以内となったことが検知された場合、制御部１５１は高電圧発生装置１４１を停止させるようにしてもよい。
このようにすることで、空気調和機Ｚの運転中に在室者が高電圧発生装置１４１や、金属フィルタ１４３や、イオン発生電極１４２に触れることができるようにすることができる。
【００６６】
《第５実施形態：運転停止すると動作停止》
図１１は、第５実施形態に係る室内機の制御手順を示すフローチャートである。
まず、制御部１５１は、空気調和機Ｚの運転が停止されたか否かを判定する（Ｓ４０１）。
ステップＳ４０１の結果、運転停止していない場合（Ｓ４０１→Ｎｏ）、制御部１５１は高電圧発生装置１４１を稼動させ続け（Ｓ４０２）、イオン発生電極１４２からイオンを発生させ続けるとともに、金属フィルタ１４３を帯電させ続ける。そして、制御部１５１はステップＳ４０１へ処理を戻す。
【００６７】
ステップＳ４０１の結果、運転停止した場合（Ｓ４０１→Ｙｅｓ）、制御部１５１は、高電圧発生装置１４１を停止させ（Ｓ４０３）、ステップＳ４０１へ処理を戻す。高電圧発生装置１４１が停止することにより、イオン発生電極１４２からのイオンの発生及び金属フィルタ１４３の帯電が停止する。
【００６８】
このようにすることで、運転停止してからユーザが室内機１の点検等を行う際に、イオン発生電極１４２及び金属フィルタ１４３に安全に触れることができる。
【００６９】
《第６実施形態：運転停止すると動作停止→アース》
図１２は、第６実施形態に係る室内機の制御手順を示すフローチャートである。
まず、制御部１５１は、空気調和機Ｚの運転が停止されたか否かを判定する（Ｓ５０１）。
ステップＳ５０１の結果、運転停止していない場合（Ｓ５０１→Ｎｏ）、制御部１５１は高電圧発生装置１４１を稼動させ続け（Ｓ５０２）、イオン発生電極１４２からイオンを発生させ続けるとともに、金属フィルタ１４３を帯電させ続ける。そして、制御部１５１はステップＳ５０１へ処理を戻す。
【００７０】
ステップＳ５０１の結果、運転停止した場合（Ｓ５０１→Ｙｅｓ）、制御部１５１は、高電圧発生装置１４１を停止させる（Ｓ５０３）。高電圧発生装置１４１が停止することにより、イオン発生電極１４２からのイオンの発生及び金属フィルタ１４３の帯電が停止する。
【００７１】
続いて、制御部１５１は金属フィルタ１４３をアースし（Ｓ５０４）、ステップＳ５０１へ処理を戻す。
このようにすることで、運転停止してからユーザが室内機１の点検等を行う際に、イオン発生電極１４２及び金属フィルタ１４３に、第５実施形態より安全に触れることができる。
【００７２】
なお、ステップＳ５０４において、金属フィルタ１４３が逆の極性（塵埃と同じ極性）に帯電されるようにしてもよい。
このようにすることで、電気力によって金属フィルタ１４３から塵埃が反発するので、塵埃を効率的に除去することができる。
【００７３】
また、制御部１５１は、画像処理装置１６４によって人が不在であると判定された場合、通常運転時よりも風量を増加させるよう送風ファン１２５を制御してもよい。
【００７４】
《第７実施形態：送風路にイオン発生電極を設置》
図１３は、第７実施形態に係る稼動中における室内機の側断面模式図である。図１３において、図２と同様の構成要素については、同一の符号を付して説明を省略する。
図１３の室内機１ａが第１実施形態に示す室内機１と異なる点は、イオン発生電極１４２が空気吹出口１１２の外すなわち送風路１２７の外に設けられている点である。より具体的には、イオン発生電極１４２が、高電圧発生装置１４１とともに、空間部１３４に設けられている。なお、イオン発生電極１４２が空気吹出口１１２の外すなわち送風路１２７の外に設けられる場合、その設けられる個所は空間部１３４に限らない。
また、図１３に示すように、本実施形態では高電圧発生装置１４１がイオン発生電極１４２の上方に備えられているが、これに限らず、イオン発生電極１４２の下方に備えられてもよいし、イオン発生電極１４２と並列に備えられていてもよい。
【００７５】
《その他の実施形態》
なお、画像処理装置１６４が、所定時間連続して人を検知しないときに、制御装置１５１は、高電圧発生装置１４１がイオン発生電極１４２に印加する電圧を上げるようにしてもよい。すなわち、所定時間連続して人が検知されないときに、制御装置１５１がイオンをより多く発生するようにしてもよい。
このようにすることで、人が在室していない間によりおおくの塵埃を捕捉しておくことができ、快適性を向上させることができる。
【００７６】
さらに、画像処理装置１６４が、所定時間連続して人を検知しないときに、制御装置１５１は、高電圧発生装置１４１が金属フィルタ１４３に印加する電圧を上げるようにしてもよい。すなわち、人所定時間連続して人が検知されないときに、制御装置１５１が属フィルタ１４３の捕捉力を上げるようにしてもよい。
このようにすることで、人が在室していない間により多くの塵埃を捕捉しておくことができ、快適性を向上させることができる。
【００７７】
そして、画像処理装置１６４が、所定時間連続して人を検知しないときに、制御部１５１が送風ファン１２５の回転数を上げるようにしてもよい。つまり、人が在室していない間に、より多くの塵埃を巻き上げ、イオン及び金属フィルタ１４３で巻き上げた塵埃が捕捉されるようにしてもよい。
このようにすることで、人が在室していない間によりおおくの塵埃を捕捉しておくことができ、快適性を向上させることができる。
【００７８】
また、本実施形態に係る室内機１と、図１に示すように図示しない圧縮機、室外熱交換器、膨張弁等を備えた室外機２を有することで、前記した各効果を有する空気調和機Ｚを提供することができる。
【００７９】
また、本実施形態に係る空気調和機Ｚは、空気調和タイマ機能等により集塵動作時間が設定可能であってもよい。
さらに、発生されるイオンはプラスイオンでもよい。この場合、金属フィルタ１４３には、対極となるマイナス電位が印加されることになる。
そして、高電圧発生装置１４１が空気吹出口１１２に備えられていてもよい。
【００８０】
本実施形態に係る空気調和機Ｚによれば、イオン発生器を空気吹出口１１２又は空気吹出口１１２の近傍に備えることによって、室内機１の送風に伴ってイオンを室内に送ることができる。室内に放出されたイオンは、室内の塵埃を帯電させる。そして、空気吸込口１１１から室内機１に吸い込まれた塵埃は、イオンとは逆の極性に帯電している金属フィルタ１４３によって捕捉される。このとき、イオンと同じ極性に帯電している塵埃は電気力によって金属フィルタ１４３に捕捉されるため、塵埃の捕捉力を向上させることができる。
【００８１】
さらに、イオンが室内に放出されることにより、室内に浮遊している塵埃は、金属フィルタ１４３との電気力によって、室内機１に引き寄せられる。従って、本実施形態に係る室内機１は、送風ファン１２５による吸込力に加えて、電気力による塵埃の吸込力をも有する。その結果、本実施形態に係る空気調和機Ｚは、捕捉力を向上させることができる。
【００８２】
特許文献１に記載の技術は、イオン発生電極が空気吸込口に備えられているため、室内の塵埃は帯電されない。従って、特許文献１に記載の技術は、室内に浮遊している塵埃の捕捉力は、送風ファンの吸込力のみに依存される。
【００８３】
また、特許文献２に記載の技術のようにメッシュの細かいフィルタを用いなくても、高い塵埃捕捉力を有する空気調和機Ｚの提供が可能となる。
【００８４】
そして、高電圧発生装置１４１、イオン発生電極１４２が送風路１２７以外に設置されることにより、高電圧発生装置１４１、イオン発生電極１４２が送風を妨げることがなくなる。
【００８５】
さらに、本実施形態に係る空気調和機Ｚの室内機１は、空気調和機Ｚの運転停止後、可動式フィルタ掃除ユニット１２３で金属フィルタ１４３に付着している塵埃を除去する。このようにすることで、金属フィルタ１４３を常に清潔な状態に保つことができると共に、金属フィルタ１４３のメッシュが塵埃で詰まることによる流入空気の減少を抑えることができる。つまり、メンテナンスフリーな空気調和機Ｚを提供することができる。
【００８６】
また、本実施形態に係る空気調和機Ｚの室内機１は、人が在室していないときに、イオン発生電極１４２によるイオンの発生を行う。このようにすることで、人が在室しているときにおける、イオンによる集塵動作に伴う送風の風速分布の偏りや、温度の偏りや、集塵動作に伴う送風ファン１２５の騒音を抑制することができる。
【００８７】
そして、本実施形態に係る空気調和機Ｚの室内機１は、床面に対して送風が吹き付けられるよう上下風向板１３１の向きを制御する。このようにすることで、床や家具５００上面に堆積した埃が巻き上げられる。これにより、床や家具上面に堆積した埃をイオンによって帯電させ、金属フィルタ１４３に捕捉することができる。
【００８８】
本発明は前記した実施形態に限定されるものではなく、様々な変形例が含まれる。例えば、前記した実施形態は本発明を分かりやすく説明するために詳細に説明したものであり、必ずしも説明したすべての構成を有するものに限定されるものではない。また、ある実施形態の構成の一部を他の実施形態の構成に置き換えることが可能であり、ある実施形態の構成に他の実施形態の構成を加えることも可能である。また、各実施形態の構成の一部について、他の構成の追加・削除・置換をすることが可能である。
【００８９】
また、前記した各構成、機能、制御部１５１等は、それらの一部又はすべてを、例えば集積回路で設計すること等によりハードウェアで実現してもよい。また、前記した制御部１４１等は、ＣＰＵ等のプロセッサがそれぞれの機能を実現するプログラムを解釈し、実行することによりソフトウェアで実現してもよい。各機能を実現するプログラム、テーブル、ファイル等の情報は、ＨＤ（Hard Disk）に格納すること以外に、メモリや、ＳＳＤ（Solid State Drive）等の記録装置、又は、ＩＣ（Integrated Circuit）カードや、ＳＤ（Secure Digital）カード、ＤＶＤ（Digital Versatile Disc）等の記録媒体に格納することができる。
また、各実施形態において、制御線や情報線は説明上必要と考えられるものを示しており、製品上必ずしもすべての制御線や情報線を示しているとは限らない。実際には、ほとんどすべての構成が相互に接続されていると考えてよい。
【符号の説明】
【００９０】
１      室内機
２      室外機
１０３  前面パネル
１１１  空気吸込口
１１２  空気吹出口
１１３  撮像カメラ（人体検知部）
１２３  可動式フィルタ掃除ユニット（除去部）
１２４  熱交換器（熱交換部）
１２５  送風ファン
１２６  露受皿
１２７  送風路
１３１  上下風向板
１３２  左右風向板
１３４  空間部
１４１  高電圧発生装置（高電圧発生部）
１４２  イオン発生電極（イオン発生部）
１４３，１４３ａ，１４３ｂ  金属フィルタ（フィルタ部）
１５１  制御部
１６４  画像処理装置（人体検知部）
Ｂ１    マイナスイオン（イオン）
Ｂ２    塵埃
Ｚ      空調機
【図１】
2015203556.tif 000003
【図２】
2015203556.tif 000004
【図３】
2015203556.tif 000005
【図４】
2015203556.tif 000006
【図５】
2015203556.tif 000007
【図６】
2015203556.tif 000008
【図７】
2015203556.tif 000009
【図８】
2015203556.tif 000010
【図９】
2015203556.tif 000011
【図１０】
2015203556.tif 000012
【図１１】
2015203556.tif 000013
【図１２】
2015203556.tif 000014
【図１３】
2015203556.tif 000015